(57)【特許請求の範囲】
【請求項１】
間隔をあけて結合された一対の角波板からなる複数個の構造物ユニットを、桁方向に互いに連結することによって構築される角波板製構造物の棟構造において、
前記一対の角波板の内側フランジの各々の上部間に固定された棟つなぎ材と、前記一対の角波板の外側フランジの各々の上部に固定された鋼材からなる補強材と、前記補強材によって前記一対の角波板の外側フランジの上部間に固定された棟板とからなり、前記棟板は、複数個の前記構造物ユニット毎に一体化され、前記棟つなぎ材および前記補強材のうち少なくとも前記棟つなぎ材は、溝形鋼からなり、前記棟つなぎ材が溝形鋼からなる場合には、溝形鋼のウェブが前記角波板の内側フランジに固定され、前記補強材が溝形鋼からなる場合には、溝形鋼のウェブが前記角波板の外側フランジに固定され、前記棟板には、換気口等の開口が形成されていることを特徴とする、角波板製構造物の棟構造。
【請求項２】
前記棟板は、透明な材質からなっていることを特徴とする、請求項１記載の、角波板製構造物の棟構造。
【発明の詳細な説明】
【０００１】
【発明の属する技術分野】
この発明は、角波板製構造物の棟構造、特に、棟板を強度部材とする必要がないことから、棟板に換気等のための開口を形成することができ、しかも、採光のために棟板を透明な材質とすることができ、更に、構築された構造物ユニットを桁方向に連結した後で棟板を棟部に固定することができるので、棟板を複数個の構造物ユニット毎に一体化させた長尺物とすることができ、従って、棟板の接合箇所が減ることから優れた防水性が得られる、角波板製構造物の棟構造に関するものである。
【０００２】
【従来の技術】
図４に示すような断面形状を有する鋼製角波板１によって構築される倉庫等の構造物の棟部２の構造の従来例について、図面を参照しながら説明する。なお、この種の構造物は、構造物ユニットを組み立て、これをコンクリート基礎上に構築し、この後、各ユニットを桁方向に接合することによって構築されている。
【０００３】
図５は、従来技術１を示す部分切欠き正面図、図６は、従来技術１における棟板の取付け状態を示す側面図、図７は、従来技術２を示す正面図、図８は、従来技術２における棟板の取付け状態を示す側面図である。
▲１▼  従来技術１の棟構造は、図５及び図６に示すように、一対の角波板１の上端を互いに突き合わせて溶接等により接合し、棟部２の外側に、角波板１と同一波形形状の波板を、棟部２の傾斜に合わせてハの字形に突合わせ溶接したものからなる波形棟板３を、ボルト４によって固定したものからなっている。
▲２▼  従来技術２の棟構造は、図７及び図８に示すように、間隔をあけて配置された一対の角波板１の棟部２の外側フランジ１Ａに、棟部２の傾斜に合わせてハの字状に折り曲げた平板状外側棟板５を、そして、棟部２の内側フランジ１Ｂに、棟部の傾斜に合わせて、ハの字状に折り曲げた平板状内側棟板６をそれぞれボルト７によって固定し、内側棟板６には、板状棟つなぎ材８を固定したものからなっている。
【０００４】
【発明が解決しようとする課題】
しかしながら、上述した従来技術１は、以下のような問題を有していた。
▲１▼  角波板１の上端が接合されているので、構造強度は確保できるが、棟部２の傾斜角度が大きくなると、波板の突合わせ溶接による波形棟板３の製造が困難となる。
▲２▼  角波板１の上端が接合されているので、換気等のための開口部を棟部に形成することが困難である。
【０００５】
一方、従来技術２は、以下のような問題を有していた。
▲１▼  棟部の傾斜角度に制約されないが、構造強度を確保するには、外側棟板５及び内側棟板６を強度部材とする必要がある。従って、外側棟板５及び内側棟板６を構造物ユニット毎に角波板１に固定しないと、構造物ユニットを組み立てることができない。従って、構造物ユニット同士を桁方向に連結する場合に、外側棟板５及び内側棟板６の接合箇所が多くなり、その分、防水性に問題が生じる。
【０００６】
従って、この発明の目的は、棟板を強度部材としないことによって、棟板に換気等のための開口を形成することができ、しかも、採光のために棟板を透明な材質とすることができ、更に、構築された構造物ユニットを桁方向に連結した後で棟板を棟部に固定することができるので、棟板を複数個の構造物ユニット毎に一体化させた長尺物とすることができ、従って、棟板の接合箇所が減ることから優れた防水性が得られる、角波板製構造物の棟構造を提供することにある。
【０００７】
【課題を解決するための手段】
請求項１記載の発明は、間隔をあけて結合された一対の角波板からなる複数個の構造物ユニットを、桁方向に互いに連結することによって構築される角波板製構造物の棟構造において、前記一対の角波板の内側フランジの各々の上部間に固定された棟つなぎ材と、前記一対の角波板の外側フランジの各々の上部に固定された鋼材からなる補強材と、前記補強材によって前記一対の角波板の外側フランジの上部間に固定された棟板とからなり、前記棟板は、複数個の前記構造物ユニット毎に一体化され、前記棟つなぎ材および前記補強材のうち少なくとも前記棟つなぎ材は、溝形鋼からなり、前記棟つなぎ材が溝形鋼からなる場合には、溝形鋼のウェブが前記角波板の内側フランジに固定され、前記補強材が溝形鋼からなる場合には、溝形鋼のウェブが前記角波板の外側フランジに固定され、前記棟板には、換気口等の開口が形成されていることに特徴を有するものである。
【０００８】
請求項２記載の発明は、請求項１記載の発明において、前記棟板は、透明な材質からなっていることに特徴を有するものである。
【００１０】
【発明の実施の形態】
次に、この発明の、角波板製構造物の棟構造の一実施態様を、図面を参照しながら説明する。
【００１１】
図１は、この発明の、角波板製構造物の棟構造を示す正面図、図２は、この発明の、角波板製構造物の棟構造を示す側面図、図３は、この発明の、角波板製構造物の別の棟構造を示す正面図である。
【００１２】
図１及び図２において、９は、間隔をあけて結合される一対の角波板、１０は、一対の角波板９の内側フランジ９Ｂの上部間にボルト１１によって固定された溝形鋼からなる棟つなぎ材、１２は、一対の角波板９の外側フランジ９Ａの各々の上部にボルト１３によって固定された溝形鋼からなる補強材、１４は、補強材１２によって一対の角波板９の外側フランジ９Ａの上部間に固定された棟板、そして、１５は、棟板１４に形成された、塞ぎ板１６によって開閉可能な換気口である。
【００１３】
なお、棟つなぎ材１０及び補強材１２は、必ずしも溝形鋼に限定されるものではなく、所定の強度と剛性を有していれば、Ｔ形鋼、山形鋼、角形鋼管等の鋼材であっても良い。
【００１４】
このようにして組み立てられた構造物の棟部１７の剛性は、棟つなぎ材１０及び補強材１２によって十分に得られる。従って、棟板１４を強度部材とする必要性がなくなるので、棟板１４に換気口１５等の開口を形成することができ、しかも、棟板１４を合成樹脂等の透明な材質とすれば、棟部１５から採光することもでき、更に、棟板１４を板厚を薄くできるので、棟板１４の軽量化が図れる。
【００１５】
また、従来技術１、２においては、棟板が強度部材であることから、構造物ユニット毎に棟板を角波板に固定しないと、構造物ユニットを組み立てることができなかった。従って、棟板を長尺物にすることができなかった。しかしながら、上述したように、この発明においては、棟板１４を強度部材とする必要性がないので、棟板１４を複数個の構造物ユニット毎に一体化することができる。構造物の桁長さが短い場合には、棟板１４を一本物とすることができる。従って、棟板の接合箇所が減ることから優れた防水性が得られる。
【００１６】
図３に示すように、一対の角波板９として円弧状に湾曲したものを使用し、これら角波板９の内側フランジ９Ｂの上部間に、両側に円弧状湾曲部１０Ａを有する棟つなぎ材１０をボルト１１によって固定して、一対の角波板９を互いに内向きに結合しても良い。この場合にも、一対の角波板９の外側フランジ９Ａの各々の上部に、円弧状補強材１２をボルト１３によって固定する。そして、棟板１４を棟部１７から上方に突出させて、一対の角波板９間に固定すれば、日本家屋風の構築物とすることができる。
【００１７】
【発明の効果】
以上説明したように、この発明によれば、棟板を強度部材とする必要がないことによって、以下のような有用な効果がもたらされる。
▲１▼  棟板に換気等のための開口を形成することができる。
▲２▼  採光のために棟板を透明な材質とすることができる。
▲３▼  構築された構造物ユニットを桁方向に連結した後で棟板を棟部に固定することができるので、棟板を複数個の構造物ユニット毎に一体化させた長尺物とすることができ、従って、棟板の接合箇所が減ることから優れた防水性が得られる。
【図面の簡単な説明】
【図１】この発明の、角波板製構造物の棟構造を示す正面図である。
【図２】この発明の、角波板製構造物の棟構造を示す側面図である。
【図３】この発明の、角波板製構造物の別の棟構造を示す正面図である。
【図４】角波板を示す断面図である。
【図５】従来技術１を示す部分切欠き正面図である。
【図６】従来技術１における棟板の取付け状態を示す側面図である。
【図７】従来技術２を示す正面図である。
【図８】従来技術２における棟板の取付け状態を示す側面図である。
【符号の説明】
１：角波板
１Ａ：外側フランジ
１Ｂ：内側フランジ
２：棟部
３：波形棟板
４：ボルト
５：外側棟板
６：内側棟板
７：ボルト
８：棟つなぎ材
９：角波板
９Ａ：外側フランジ
９Ｂ：内側フランジ
１０：棟つなぎ材
１０Ａ：円弧状湾曲部
１１：ボルト
１２：補強材
１３：ボルト
１４：棟板
１５：換気口
１６：塞ぎ板
１７：棟部
【図１】
0003945875.tif 000002
【図２】
0003945875.tif 000003
【図３】
0003945875.tif 000004
【図４】
0003945875.tif 000005
【図５】
0003945875.tif 000006
【図６】
0003945875.tif 000007
【図７】
0003945875.tif 000008
【図８】
0003945875.tif 000009